(57)【特許請求の範囲】
【請求項１】
基材に植設されている非対称のねじプロフィールを持つねじに係止させて締め付けを行うナット機能を有するねじ締付用クリップであって、ばね鋼板よりなる環状円板の中心孔の孔縁より放射状に該環状円板の一面から傾斜状に突出する３個の押し込みによりねじ軸に装着できる程度の弾性を備えた係止ばね爪を等間隔をおいて配設するとともに、各係止ばね爪の先端がねじ山間に介入されたとき前記ねじのねじ底に沿いかつ前記ねじの基材側の面の基部に係合できる折曲端部に形成して、前記ねじのピッチ相当分だけそれぞれずらせて配置し、また環状円板の外周縁の所要個所より前記係止ばね爪の突出側に向けて複数の操作用突片を設けたことを特徴とするねじ締付用クリップ。
【請求項２】
環状円板の所要個所に前記係止ばね爪とは反対側に突出する爪片が複数個配設されている請求項１に記載のねじ締付用クリップ。
【発明の詳細な説明】
【０００１】
【発明の属する技術分野】
本発明は基材に植設されたねじに係止させて締め付けを行うナット機能を有するねじ締付用クリップに関するものである。
【０００２】
【従来の技術】
ねじの締付部材としてはナットが一般的に用いられているが、締付強度をさほど要求されないものにおいては、ナットを用いると過剰品質となりコストアップが生じるうえに、締付作業に時間がかかり、しかも、製品が重くなるという問題があった。また、被締付部材がフェルト等の繊維マットの場合、ナットによる締め付けは回動操作によるため締め付け過ぎが起こり、繊維性マットが圧潰されるという問題が生じた。このような問題を解決するため、ばね鋼板よりなる環状円板の中心孔を６枚の三角形状の突片が放射状に配設された星形として各突片を環状円板の一面より擂鉢状に突出するよう傾斜させてねじ軸にねじ込むことにより緩み止め機能を発揮するようにしたねじの緩み止め具が特開平６ー１２９４１６号公報により提案されているが、このようなねじの緩み止め具は前記した問題のうちナットを用いるときのようなコスト上の問題や製品が重くなるという問題は解消されても、爪先が対向する三角形状の突片でボルトが傷付けられやすいうえにねじピッチに対する考慮がなされていないことによりねじ軸に対して傾きやすく、被締付部材を確実に固定できない場合がしばしば発生するうえに、ねじ込みによりねじ軸に装着する関係上、締め付け過ぎの問題は解消されないうえにナットと同様にねじ込み作業に手数がかかり、また、トルクレンチなどの締付工具が必要となるうえに締め付けを解く際に離脱させ難くくて作業に手間がかかるという問題もあり、実用化には程遠いものであった。
【０００３】
【発明が解決しようとする課題】
本発明が解決しようとするところは、前記のような問題を解決しておし込み操作だけでねじ軸に装着できて締緩作業が簡単なうえに安定した締め付けができ、しかも、締め付けを解く作業も簡単にできるねじ締付用クリップを提供することにある。
【０００４】
【課題を解決するための手段】
前記した課題を解決した本発明は、基材に植設されている非対称のねじプロフィールを持つねじに係止させて締め付けを行うナット機能を有するねじ締付用クリップであって、ばね鋼板よりなる環状円板の中心孔の孔縁より放射状に該環状円板の一面から傾斜状に突出する３個の押し込みによりねじ軸に装着できる程度の弾性を備えた係止ばね爪を等間隔をおいて配設するとともに、各係止ばね爪の先端がねじ山間に介入されたとき前記ねじのねじ底に沿いかつ前記ねじの基材側の面の基部に係合できる折曲端部に形成して、前記ねじのピッチ相当分だけそれぞれずらせて配置し、また環状円板の外周縁の所要個所より前記係止ばね爪の突出側に向けて複数の操作用突片を設けたことを特徴とするねじ締付用クリップを請求項１の発明とし、請求項１の発明において、環状円板の所要個所に前記係止ばね爪とは反対側に突出する爪片が複数個配設されたものを請求項２の発明としたものである。
【０００５】
【発明の実施の形態】
次に、本発明の好ましい実施の形態を図面を参考にしながら詳細に説明する。
図１は本発明のねじ締付用クリップを示すもので、１はばね鋼板（例えばＳＵＳ３０４）よりなる０．５mm厚の環状円板である。この環状円板１の中心には中心孔の孔縁より先方がやや幅狭とした３枚の突片をプレス加工により環状円板１の一面より傾斜状に突出させて形成した３個の弾性に優れた係止ばね爪２が等間隔をおいて配設されている。このように係止ばね爪２を３個としたのは偶数個を等間隔をおいて配設したり５個以上を等間隔をおいて配設すると、ねじに嵌装したときに対向位置またはそれに近い位置にある係止ばね爪がねじピッチのずれ分だけねじ軸に対して環状円板１が傾き、被締付部材を確実に固定できない場合が生じるおそれがあるからで、３個に限定したことは本発明において重要なことである。
【０００６】
また、各係止ばね爪２の先端は、ねじ山形状を軸端に面する側が外向きのアール（外向きに膨らんだ曲面）とされその反対側の面はゆるやかな逆アール（内向きにくぼんだ曲面）とされた図２に示したような非対称のねじプロフィールを持つねじ用の締付用クリップとしたとき特に有効なものとなるように、ねじＳのねじプロフィールに対応したものとしてある。即ち、各係止ばね爪２の先端はねじＳのピッチ相当分だけ若干位相のずれたものとするとともにねじ山間に介入されたときねじ軸径に対応し且つ前記逆アールの基部と係合しやすいような形状の折曲端部２ａとされており、これら３個の係止ばね爪２の折曲端部２ａを繋ぐ開口部３の径はねじＳのねじ径より小径としてある。なお、係止ばね爪２はねじ込みではなく押し込みによりねじ軸に装着できる程度の十分な弾性を備えたものとする必要があり、このため、厚みおよび材質を設定しておくものとする。さらに、環状円板１の外周縁の所要個所には、つまみ易く且つ取り外す際に回動操作を行いやすくするために、前記係止ばね爪２の突出側に向けて略直角に折曲げられた複数の角形の操作用突片４を設けるとともに、前記係止ばね爪２とは反対面に突出する爪片５を複数個配設してある。なお、この爪片５は１２０度間隔でねじの緩み止め方向に先端を向けて打抜きにより配設されるもので、被締付部材の固定機能と環状円板１の緩み止め機能を持つものとしてある。なお、６は係止ばね爪２を形成するために形成される打抜き孔である。
【０００７】
このように構成されたものは、図２に示されるように、基材Ｂに植設されているねじＳに被締付部材としての繊維マットＭを嵌着したうえ、操作用突片４を抓んで各係止ばね爪２が上側に突出された状態でねじＳの上端から被せるようにして押し込み操作で環状円板１を開口部３を通じて中心孔をもって軸端より嵌装すれば、係止ばね爪２の開口部３はねじＳのねじ外径より小径としているため、係止ばね爪２がねじＳの先端と当接すると上方に傾斜されている係止ばね爪２の開口部３は上方に拡開されて係止ばね爪２が弾性によりねじＳのねじ山を次々と越えて嵌着されてゆき、この嵌着により環状円板１の座面は被締付部材としての繊維マットＭを押圧固定することとなる。このとき、各係止ばね爪２の若干上方に屈曲された先端は図２に示されるように、ねじＳのねじプロフィールに対応した折曲端部２ａとされていてねじＳのねじ底に沿ってねじ山の逆アールの基部に当接して係止されることとなるので、がたつくことなく的確に被締付部材を固定することができる。
【０００８】
しかも、各係止ばね爪２は３個が１２０℃間隔で先端が対向することがないように配設されているため、各係止ばね爪２がねじＳのねじ山に係止される際、ねじのピッチ差によって環状円板１が大きく傾くことがなくて締付不良の生じることがない。しかして、繊維マットＭを外す場合は、環状円板１の外周縁に突設された角形の操作用突片４を介してねじを緩める方向に回転させれば、係止ばね爪２の爪先とねじ溝との螺合は簡単に解けるからこの離脱作業に手間を要することはない。特に、環状円板１の前記係止ばね爪２とは反対面に突出するように複数個配設してある爪片５を１２０度間隔としてねじの緩み止め方向に先端を向けて打抜きにより配設されたものとしたときは、被締付部材の固定機能を有するとともに環状円板１の緩み止め機能を持つものとなる。
【０００９】
【００１０】
【発明の効果】
本発明は前記の説明から明かなように、ばね鋼板よりなる環状円板の中心孔の孔縁より該環状円板の一面より傾斜状に突出する係止ばね爪を押し込み操作でねじ軸に装着できる程度に十分な弾性を備えたものとしてあるうえにその個数を３個としたので、特殊な工具を使用してねじ込むことなく押し込み操作で簡単にできしかも、ねじに嵌装する際にねじ軸が傷付けられることがなく、また、各係止ばね爪の先端がねじ山間に介入されたとき前記ねじのねじ底に沿いかつ前記ねじの基材側の面の基部に係合できる折曲端部に形成して、前記ねじのピッチ相当分だけそれぞれずらせて配置したので、ピッチ間隔の段差で係止ばね爪がねじ山に係止されて環状円板が傾くおそれもなく、等間隔をおいて放射状に配設された３個すべての係止ばね爪の先端で被締付部材を圧着して確実な固定を行なうことができることとなる。しかも、環状円板の外周縁の所要個所より係止ばね爪の突出側に向けて複数の操作用突片を設けてあるので、この操作用突片を利用することにより被締付部材を外す作業を簡単に行なえることとなり、さらに、押し込み操作で締付けできるために被締付部材の固定をワンタッチで行えるのみならず、被締付部材がフェルト等の繊維マットであっても圧潰して緩衝効果や断熱効果等の機能を損なうことがない等種々の利点を有するものである。
従って、本発明は従来の問題点を解決したねじ締付用クリップとして業界の発展に寄与するところ大なものである。
【図面の簡単な説明】
【図１】  本発明の好ましい実施の形態の１例を示す斜視図である。
【図２】  本発明の好ましい実施の形態の１例を使用状態で示す断面図である。
【符号の説明】
１  環状円板
２  係止ばね爪
４  操作用突片
５  爪片
【図１】
0003666827.tif 000002
【図２】
0003666827.tif 000003